(57)【特許請求の範囲】
【請求項１】
同心円状に配置して入れ子構造にした第一永久磁石部材と第二永久磁石部材と起電コイル部材とを備え、上記第一永久磁石部材又は／及び上記第二永久磁石部材を回転することにより上記起電コイル部材における発電を誘起する構成とし、上記第一，第二永久磁石部材は径方向において対極する永久磁石を周方向に多数配置して成り、該第一，第二永久磁石部材の一方の永久磁石の数を他方の永久磁石の数の２倍以上の整数倍にし、且つ該一方の永久磁石を互いに逆極性となるように隣接して配置すると共に、上記他方の永久磁石を互いに逆極性となるように隣接して配置し、上記起電コイル部材は起電コイルを周方向に多数配置して成り、該起電コイルの数を上記一方の永久磁石の数と同数にし、該各起電コイルを上記一方の永久磁石の夫々に対応して配置することを特徴とする発電装置。
【請求項２】
上記第一永久磁石部材及び上記第二永久磁石部材の一方を正回転し他方を逆回転することを特徴とする請求項１記載の発電装置。
【請求項３】
同心円状に配置して入れ子構造にした第一永久磁石部材と第二永久磁石部材と起電コイル部材とを備え、上記起電コイル部材を回転することにより該起電コイル部材における発電を誘起する構成とし、上記第一，第二永久磁石部材は径方向において対極する永久磁石を周方向に多数配置して成り、該第一，第二永久磁石部材の一方の永久磁石の数を他方の永久磁石の数の２倍以上の整数倍にし、且つ該一方の永久磁石を互いに逆極性となるように隣接して配置すると共に、上記他方の永久磁石を互いに逆極性となるように隣接して配置し、上記起電コイル部材は起電コイルを周方向に多数配置して成り、該起電コイルの数を上記一方の永久磁石の数と同数にし、該各起電コイルを上記一方の永久磁石の夫々に対応して配置することを特徴とする発電装置。
【請求項４】
上記起電コイル部材を上記第一，第二永久磁石部材の外方に同心配置したことを特徴とする請求項１記載の発電装置。
【請求項５】
上記第一永久磁石部材と第二永久磁石部材間に空芯コイルから成る起電コイルを配設した上記起電コイル部材を同心配置したことを特徴とする請求項１又は請求項３記載の発電装置。
【発明の詳細な説明】
【技術分野】
【０００１】
本発明は永久磁石と起電コイルとの相対回転により発電を誘起する発電装置に関する。
【背景技術】
【０００２】
既知のように、筒状に配設した永久磁石を備える永久磁石部材と、筒状に配設した起電コイルを備える起電コイル部材とを同心配置し、即ち単一の上記永久磁石部材と単一の上記起電コイル部材とを同心配置し、該単一の永久磁石部材を回転することにより、上記起電コイル内の磁力を変化させて発電を誘起する発電装置が種々開発されている。
【０００３】
上記既知の発電装置にあっては、発電を誘起する磁力、即ち永久磁石の磁力は一定であることから、下記特許文献１に示すように、上記永久磁石とは別に電磁石を設け、該電磁石の磁力を加算したり、非加算したりして磁力を増減する構成が採用されている。
【先行技術文献】
【特許文献】
【０００４】
【特許文献１】特許第３７０９１４５号公報
【発明の概要】
【発明が解決しようとする課題】
【０００５】
換言すると、上記特許文献１の発電装置は単一の永久磁石部材に電磁石を付設し、該電磁石により起電コイルに作用する磁力を変化し、効率の良い発電を得んとする発想に基づくものである。
【課題を解決するための手段】
【０００６】
これに対し、本発明は起電コイルに作用する磁力の変化を図る手段として、同心円状に配置し入れ子構造にした第一永久磁石部材と第二永久磁石部材とを備え、両者の協働により起電コイルに作用する磁力を変化し効率の良い発電が得られるようにしたものである。
【０００７】
即ち本発明に係る発電装置は、同心円状に配置して入れ子構造にした第一永久磁石部材と第二永久磁石部材と起電コイル部材とを備え、上記第一永久磁石部材又は／及び上記第二永久磁石部材を回転することにより上記起電コイル部材における発電を誘起する構成を有し、上記第一，第二永久磁石部材が協働して磁力を変化し効率の良い発電を得る。
【０００８】
具体例として、上記第一永久磁石部材及び上記第二永久磁石部材の一方を正回転し他方を逆回転して、両者の回転スピードを実質上向上し発電効率を高めることができる。
【０００９】
又は同心円状に配置して入れ子構造にした第一永久磁石部材と第二永久磁石部材と起電コイル部材とを備え、上記起電コイル部材を回転することにより該起電コイル部材における発電を誘起する構成を有し、上記第一，第二永久磁石部材が協働して磁力を変化し効率の良い発電を得る。
【００１０】
上記第一永久磁石部材又は／及び上記第二永久磁石部材を回転する場合の具体例として、上記起電コイル部材を上記第一，第二永久磁石部材の外方に同心配置するか、又は上記第一永久磁石部材と第二永久磁石部材間に空芯コイルから成る起電コイルを配設した上記起電コイル部材を同心配置する。
【００１１】
又上記起電コイル部材を回転する場合の具体例として、上記第一永久磁石部材と第二永久磁石部材間に空芯コイルから成る起電コイルを配設した上記起電コイル部材を同心配置する。
【００１２】
具体例として、上記第一，第二永久磁石部材は径方向において対極する永久磁石を周方向に多数配置して成り、確実な上記磁力変化を図り効率の良い発電を得る。
【００１３】
更には上記第一，第二永久磁石部材の一方の永久磁石の数を他方の永久磁石の数の２倍以上の整数倍にし、該一方の永久磁石を互いに逆極性となるように隣接して配置すると共に、上記他方の永久磁石を互いに逆極性となるように隣接して配置し、上記磁力変化を頻発させ効率の良い発電を得る。加えて上記起電コイル部材は起電コイルを周方向に多数配置して成り、該起電コイルの数を上記一方の永久磁石の数と同数にし、該各起電コイルを上記一方の永久磁石の夫々に対応して配置する。
【発明の効果】
【００１４】
本発明によれば、上記第一，第二永久磁石部材の協働により起電コイルに作用する磁力の変化を図り、効率良い発電を得ることができる。
【００１５】
具体例として、上記第一，第二永久磁石部材は径方向において対極する永久磁石を周方向に多数配置して成ることにより、上記第一永久磁石部材の永久磁石と上記第二永久磁石部材の永久磁石が径方向で対向し、該対向する永久磁石同士の逆極性（Ｎ極とＳ極）間及び同対向する永久磁石同士の同極性（Ｓ極とＳ極又はＮ極とＮ極）間で磁力を増減して磁力変化を図ることができる。
【００１６】
更に上記第一，第二永久磁石部材の一方の永久磁石の数を他方の永久磁石の数の２倍以上の整数倍にし、該一方の永久磁石を互いに逆極性となるように隣接して配置すると共に、上記他方の永久磁石を互いに逆極性となるように隣接して配置することにより、上記第一永久磁石部材の永久磁石と上記第二永久磁石部材の永久磁石の逆極性同士の対向と同極性同士の対向の数を増加し上記磁力変化を頻発させて、効率の良い発電を得ることができる。
【図面の簡単な説明】
【００１７】
【図１】本発明の実施例１に係る発電装置の分解斜視図。
【図２】上記実施例１に係る発電装置の横断面図。
【図３】上記実施例１に係る発電装置の縦断面図。
【図４】上記実施例１における第一永久磁石部材の永久磁石と第二永久磁石部材の永久磁石間及びコアにおける磁力方向を横断面視して示す要部拡大図。
【図５】本発明の実施例２，実施例３に係る発電装置の分解斜視図。
【図６】上記実施例２，実施例３に係る発電装置の横断面図。
【図７】上記実施例２に係る発電装置の縦断面図。
【図８】上記実施例３に係る発電装置の縦断面図。
【図９】上記実施例２，実施例３における第一永久磁石部材の永久磁石と第二永久磁石部材の永久磁石間における磁力方向を横断面視して示す要部拡大図。
【発明を実施するための形態】
【００１８】
以下本発明を実施するための最良の形態を図１乃至図９に基づき説明する。
【００１９】
本発明に係る発電装置は基本構成として、図１，図５に示すように、筒状又は環状に配設した永久磁石Ｍ１を備える第一永久磁石部材１と、筒状又は環状に配設した永久磁石Ｍ２を備える第二永久磁石部材２と、筒状又は環状に配設した起電コイルＣを備える起電コイル部材３とを同心円状に配置して入れ子構造にし、上記第一永久磁石部材１又は／及び上記第二永久磁石部材２と上記起電コイル部材３の相対回転により、上記起電コイル部材３における発電を誘起する構成を有する。
【００２０】
後記する実施例１〜実施例３に共通の構成として、図２，図６にも示すように、上記第一永久磁石部材１は径方向において対極する永久磁石Ｍ１、即ち外周面と内周面の極性が互いに逆極性となる永久磁石Ｍ１を周方向に多数配置して成る。
【００２１】
同様に上記第二永久磁石部材２は径方向において対極する永久磁石Ｍ２、即ち外周面と内周面の極性が互いに逆極性となる永久磁石Ｍ２を周方向に多数配置して成る。
【００２２】
好ましくは、上記永久磁石Ｍ１と永久磁石Ｍ２の一方の数を他方の数の整数倍にする。後記する実施例１〜実施例３においては、永久磁石Ｍ２の数を永久磁石Ｍ１の数の２倍にした例を示す。
【００２３】
又図２，図６にも示すように、上記多数の永久磁石Ｍ１を互いに逆極性となるように隣接して配置、例えば外周面の極性をＮ極（内周面の極性をＳ極）とする永久磁石Ｍ１に隣り合う永久磁石Ｍ１の外周面の極性をＳ極（内周面の極性をＮ極）として配置する。
【００２４】
同様に上記多数の永久磁石Ｍ２を互いに逆極性となるように隣接して配置、例えば外周面の極性をＮ極（内周面の極性をＳ極）とする永久磁石Ｍ２に隣り合う永久磁石Ｍ２の外周面の極性をＳ極（内周面の極性をＮ極）として配置する。
【００２５】
上記第一永久磁石部材１は横断面円弧状の板磁石から成る永久磁石Ｍ１を筒状又は環状に組み立てて形成するか、又は筒形或いは棒形の磁性体に上記した極性配置となるように着磁して形成する。該着磁は上記磁性体の中心軸方向に沿ってストレート状に行う場合と、同軸方向に対して傾斜角度をもってスキュー状に行う場合を含む。
【００２６】
又本発明は上記永久磁石Ｍ１を後記する回転軸４又は固定軸４´の周面に埋設して筒状又は環状に配設し上記第一永久磁石部材１を形成することを排除しない。
【００２７】
上記第二永久磁石部材２は横断面円弧状の板磁石から成る永久磁石Ｍ２を筒状又は環状に組み立てて形成するか、又は筒形の磁性体に上記した極性配置となるように着磁して形成する。該着磁も上記磁性体の中心軸方向に沿ってストレート状に行う場合と、同軸方向に対して傾斜角度をもってスキュー状に行う場合を含む。上記第二永久磁石部材２は上記第一永久磁石部材１よりも大径に形成し、該第一永久磁石部材１の外方に同心配置する。
【００２８】
又図１に破線で示すように、本発明は上記第一永久磁石部材１を複段構造１Ａ，１Ｂにし、上記第二永久磁石部材２を複段構造２Ａ，２Ｂにする場合、又は各セグメント（１Ａ，１Ｂ又は２Ａ，２Ｂ）を単一部材とする場合を含む。
【００２９】
上記起電コイル部材３は起電コイルＣを周方向に多数配置して成り、上記第一，第二永久磁石部材１，２と同心配置、例えば後記する実施例１に示すように、上記第一，第二永久磁石部材１，２の外方に同心配置するか、又は後記する実施例２，実施例３に示すように、上記第一永久磁石部材１と第二永久磁石部材２間に同心配置する。
【００３０】
本発明に係る発電装置は、図４，図９に示すように、上記第一永久磁石部材１と第二永久磁石部材２とが協働して磁力変化を図り、効率の良い発電を誘起することができる。
【００３１】
即ち上記第一永久磁石部材１の永久磁石Ｍ１の外周面の極性と、該永久磁石Ｍ１に径方向で対向する上記第二永久磁石部材２の永久磁石Ｍ２の内周面の極性が逆極性となる場合には両者間に安定した強い磁力が生じる。
【００３２】
例えば、上記永久磁石Ｍ１の外周面の極性がＮ極で上記永久磁石Ｍ２の内周面の極性がＳ極の場合には、図中Ｆ１で示すように、上記永久磁石Ｍ１から永久磁石Ｍ２へと流れる安定した磁力が発生し、上記永久磁石Ｍ１の外周面の極性がＳ極で上記永久磁石Ｍ２の内周面の極性がＮ極の場合には、図中Ｆ２で示すように、上記永久磁石Ｍ２から永久磁石Ｍ１へと流れる安定した磁力が発生する。
【００３３】
又上記第一永久磁石部材１の永久磁石Ｍ１の外周面の極性と、該永久磁石Ｍ１に径方向で対向する上記第二永久磁石部材２の永久磁石Ｍ２の内周面の極性が同極性となる場合には両者間に流れる磁力は生じず、図中Ｆ３，Ｆ４で示す方向の磁力が生じる。
【００３４】
即ち、図中Ｆ３で示すように、上記永久磁石Ｍ１のＮ極の外周面から隣接する永久磁石Ｍ１のＳ極の外周面へと流れる磁力が発生し、図中Ｆ４で示すように、上記永久磁石Ｍ２のＮ極の外周面から隣接する永久磁石Ｍ２のＳ極の外周面へと流れる磁力が生じる。
【００３５】
上記第一永久磁石部材１又は／及び上記第二永久磁石部材２と上記起電コイル部材３との相対回転により、図中Ｆ１〜Ｆ４で示す方向の磁力が入れ替わって上記起電コイルＣに作用し、効率の良い発電を得ることができる。
【００３６】
本発明に係る上記第一，第二永久磁石部材１，２は厚さや磁力、永久磁石Ｍ１，Ｍ２の数を自由に設定でき、磁力変化の向上を図ることができる。
【００３７】
又上記第一，第二永久磁石部材１，２の永久磁石Ｍ１，Ｍ２は、図示のように、筒状に隣接して配設する場合に限らず、周方向に間隔を置いて配設する場合を含む。
【実施例１】
【００３８】
実施例１にあっては、図１〜図４に示すように、モータ、タービン、エンジン等の動力源９により回転する回転軸４に第一筒形ヨーク５を外挿し、該第一筒形ヨーク５に上記第一永久磁石部材１を外挿する。
【００３９】
又上記第一永久磁石部材１と径方向に間隔を置いて上記第二永久磁石部材２を同心配置し、該第二永久磁石部材２に上記起電コイル部材３を外挿し、該起電コイル部材３に第二筒形ヨーク６を外挿する。
【００４０】
依って、本実施例にあっては、同心円状に配置し入れ子構造にした第一永久磁石部材１と第二永久磁石部材２と起電コイル部材３とを備え、上記第一永久磁石部材１を回転し上記第二永久磁石部材２及び起電コイル部材３とを固定して、上記第一永久磁石部材１と上記第二永久磁石部材２及び起電コイル部材３とを相対回転する構成を有し、該相対回転により上記起電コイル部材３における発電を誘起する。
【００４１】
図２に示すように、上記起電コイル部材３の起電コイルＣは上記第二筒形ヨーク６の内周面に周方向に間隔を置いて配設した複数のコア７に巻線８を巻いて形成する。上記各コア７は珪素鋼板を積層して形成し、上記第二永久磁石部材２の各永久磁石Ｍ２の外周面に接着する。
【００４２】
上記第二永久磁石部材２の永久磁石Ｍ２の数を上記第一永久磁石部材１の永久磁石Ｍ１の数の２倍にし、双方の永久磁石Ｍ１，Ｍ２を径方向において対向、即ち１個の上記永久磁石Ｍ１の外周面と２個の上記永久磁石Ｍ２の内周面を対向せしめる。
【００４３】
前記のように、上記永久磁石Ｍ２は相互に逆極性となるように隣接して配置されているため、１個の上記永久磁石Ｍ１の外周面に対し、該永久磁石Ｍ１の外周面の極性（例えばＮ極）と同極性（Ｎ極）の内周面を持つ永久磁石Ｍ２と、逆極性（Ｓ極）の内周面を持つ永久磁石Ｍ２とが対向し、後記する磁力変化を頻発させ効率の良い発電を得ることができる。
【００４４】
詳述すると、図４に示すように、上記永久磁石Ｍ１の外周面の極性と、該永久磁石Ｍ１に対向する上記永久磁石Ｍ２の内周面の極性が逆極性となる場合には両者間に図中Ｆ１又はＦ２で示す方向に安定した強い磁力が生じる。
【００４５】
従って、上記第一永久磁石部材１が回転し各永久磁石Ｍ１が回転することにより、上記各永久磁石Ｍ２の外周面に接着されたコア７を介して、上記Ｆ１で示す方向の磁力と上記Ｆ２で示す方向の磁力が交互に上記起電コイルＣに作用して該起電コイルＣ内の磁力変化を図り、効率の良い発電を誘起する。
【００４６】
又図４に示すように、上記永久磁石Ｍ１の外周面の極性と、該永久磁石Ｍ１に対向する上記永久磁石Ｍ２の内周面の極性が同極性となる場合には両者間に磁力が流れず、図中Ｆ３，Ｆ４で示す方向に磁力が生じ、該Ｆ４で示す方向の磁力は一部が上記Ｆ１で示す方向の磁力に加算され、上記磁力変化を補完する。
【００４７】
尚上記第一永久磁石部材１の永久磁石Ｍ１と第二永久磁石部材２の永久磁石Ｍ２との対向間隔はできるだけ小さくして磁力を有効に流すことが好ましい。
【実施例２】
【００４８】
実施例２にあっては、図５〜図７，図９に示すように、固定軸４´に第一筒形ヨーク５を外挿し、該第一筒形ヨーク５に上記第一永久磁石部材１を外挿する。
【００４９】
又上記第一永久磁石部材１と径方向に間隔を置いて上記起電コイル部材３を回転可能に同心配置し、該起電コイル部材３と径方向に間隔を置いて上記第二永久磁石部材２を固定して同心配置し、該第二永久磁石部材２に第二筒形ヨーク６を外挿する。上記起電コイル部材３はモータ、タービン、エンジン等の動力源９により回転する。
【００５０】
依って、本実施例にあっては、同心円状に配置し入れ子構造にした第一永久磁石部材１と第二永久磁石部材２と起電コイル部材３とを備え、上記起電コイル部材３を回転し上記第一，第二永久磁石部材１，２を固定して、上記起電コイル部材３と上記第一，第二永久磁石部材１，２とを相対回転する構成を有し、該相対回転により上記起電コイル部材３における発電を誘起する。
【００５１】
図５，図６に示すように、上記起電コイル部材３はコアレスで巻線８を筒状又は環状に巻いた空芯コイルから成る起電コイルＣを備え、該各起電コイルＣを筒状又は環状に連結して形成する。又は上記起電コイル部材３はガラス等の非磁性体から成る２個の筒体で上記空芯コイルから成る各起電コイルＣを内外側から挾持して形成する。
【００５２】
尚本実施例にあっては、上記実施例１のように、上記起電コイルＣをコアコイルとすることを排除しない。
【００５３】
上記第二永久磁石部材２の永久磁石Ｍ２の数を上記第一永久磁石部材１の永久磁石Ｍ１の数の２倍にし、双方の永久磁石Ｍ１，Ｍ２を径方向において対向、即ち１個の上記永久磁石Ｍ１の外周面と２個の上記永久磁石Ｍ２の内周面を対向せしめ、その対向間隔に上記起電コイルＣを介在せしめる。
【００５４】
前記のように、上記永久磁石Ｍ２は相互に逆極性となるように隣接して配置されているため、１個の上記永久磁石Ｍ１の外周面に対し、該永久磁石Ｍ１の外周面の極性（例えばＮ極）と同極性（Ｎ極）の内周面を持つ永久磁石Ｍ２と、逆極性（Ｓ極）の内周面を持つ永久磁石Ｍ２とが対向し、後記する磁力変化を頻発させ効率の良い発電を得ることができる。
【００５５】
詳述すると、図９に示すように、上記永久磁石Ｍ１の外周面の極性と、該永久磁石Ｍ１に対向する上記永久磁石Ｍ２の内周面の極性が逆極性となる場合には両者間に図中Ｆ１又はＦ２で示す方向に安定した強い磁力が生じる。
【００５６】
又図９に示すように、上記永久磁石Ｍ１の外周面の極性と、該永久磁石Ｍ１に対向する上記永久磁石Ｍ２の内周面の極性が同極性となる場合には両者間に磁力が流れず、図中Ｆ３，Ｆ４で示す方向に磁力が生じる。
【００５７】
本実施例にあっては、前記した図９のＦ１〜Ｆ４で示す方向の磁力を直接起電コイルＣ内に作用させ、効率の良い発電を誘起する。
【００５８】
即ち上記起電コイル部材３は上記第一永久磁石部材１の永久磁石Ｍ１と上記第二永久磁石部材２の永久磁石Ｍ２間で回転し、該起電コイル部材３の各起電コイルＣ内で磁力が図９のＦ１〜Ｆ４で示す各方向に変化することにより、効率の良い発電を誘起する。
【００５９】
本実施例にあっては、上記永久磁石Ｍ１と永久磁石Ｍ２との対向間隔に上記起電コイルＣが介在し上記対向間隔が大きくなるため、上記永久磁石Ｍ１，Ｍ２由来の磁力をある程度大きくするか、又は超電導現象が起こる絶対零度近くの極低温の環境で使用して、上記永久磁石Ｍ１，Ｍ２由来の磁力を効率良く利用することが望ましい。
【実施例３】
【００６０】
実施例３にあっては、図５，図６，図８，図９に示すように、モータ、タービン、エンジン等の動力源９により回転する回転軸４に第一筒形ヨーク５を外挿し、該第一筒形ヨーク５に上記第一永久磁石部材１を外挿する。
【００６１】
又上記第一永久磁石部材１と径方向に間隔を置いて上記起電コイル部材３を固定して同心配置し、該起電コイル部材３と径方向に間隔を置いて上記第二永久磁石部材２を回転可能に同心配置し、該第二永久磁石部材２に第二筒形ヨーク６を外挿する。上記第二永久磁石部材２はモータ、タービン、エンジン等の動力源１０により回転する。尚上記動力源９と動力源１０とを同一動力源とすることも排除しない。
【００６２】
依って、本実施例にあっては、同心円状に配置し入れ子構造にした上記第一永久磁石部材１と第二永久磁石部材２と起電コイル部材３とを備え、上記起電コイル部材３を固定し上記第一，第二永久磁石部材１，２を回転し、上記起電コイル部材３と上記第一，第二永久磁石部材１，２とを相対回転する構成を有し、該相対回転により上記起電コイル部材３における発電を誘起する。
【００６３】
図５，図６に示すように、上記起電コイル部材３はコアレスで巻線８を筒状又は環状に巻いた空芯コイルから成る起電コイルＣを備え、該各起電コイルＣを筒状又は環状に連結して形成する。又は上記起電コイル部材３はガラス等の非磁性体から成る２個の筒体で上記空芯コイルから成る各起電コイルＣを内外側から挾持して形成する。
【００６４】
尚本実施例にあっては、上記実施例１のように、上記起電コイルＣをコアコイルとすることを排除しない。
【００６５】
上記第二永久磁石部材２の永久磁石Ｍ２の数を上記第一永久磁石部材１の永久磁石Ｍ１の数の２倍にし、双方の永久磁石Ｍ１，Ｍ２を径方向において対向、即ち１個の上記永久磁石Ｍ１の外周面と２個の上記永久磁石Ｍ２の内周面を対向せしめ、その対向間隔に上記起電コイルＣを介在せしめる。
【００６６】
前記のように、上記永久磁石Ｍ２は相互に逆極性となるように隣接して配置されているため、１個の上記永久磁石Ｍ１の外周面に対し、該永久磁石Ｍ１の外周面の極性（例えばＮ極）と同極性（Ｎ極）の内周面を持つ永久磁石Ｍ２と、逆極性（Ｓ極）の内周面を持つ永久磁石Ｍ２とが対向し、後記する磁力変化を頻発させ効率の良い発電を得ることができる。
【００６７】
詳述すると、図９に示すように、上記永久磁石Ｍ１の外周面の極性と、該永久磁石Ｍ１に対向する上記永久磁石Ｍ２の内周面の極性が逆極性となる場合には両者間に図中Ｆ１又はＦ２で示す方向に安定した強い磁力が生じる。
【００６８】
又図９に示すように、上記永久磁石Ｍ１の外周面の極性と、該永久磁石Ｍ１に対向する上記永久磁石Ｍ２の内周面の極性が同極性となる場合には両者間に磁力が流れず、図中Ｆ３，Ｆ４で示す方向に磁力が生じる。
【００６９】
本実施例にあっては、前記した図９のＦ１〜Ｆ４で示す方向の磁力を直接起電コイルＣ内に作用させ、効率の良い発電を誘起する。
【００７０】
即ち上記第一永久磁石部材１及び第二永久磁石部材２は上記起電コイル部材３を挟んだ状態で回転し、上記永久磁石Ｍ１と永久磁石Ｍ２間の各起電コイルＣ内で磁力が図９のＦ１〜Ｆ４で示す各方向に変化することにより、効率の良い発電を誘起する。
【００７１】
本実施例にあっては、上記第一，第二永久磁石部材１，２を同方向に同スピードで回転するか、又は一方の永久磁石部材と他方の永久磁石部材のスピードを変えて同方向に回転することができる。
【００７２】
又は上記第一，第二永久磁石部材１，２の一方を正回転し他方を逆回転して、両者の回転スピードを実質上向上し発電効率を高めることができる。
【００７３】
本実施例にあっては、上記永久磁石Ｍ１と永久磁石Ｍ２との対向間隔に上記起電コイルＣが介在し上記対向間隔が大きくなるため、上記永久磁石Ｍ１，Ｍ２由来の磁力をある程度大きくするか、又は超電導現象が起こる絶対零度近くの極低温の環境で使用して、上記永久磁石Ｍ１，Ｍ２由来の磁力を効率良く利用することが望ましい。
【００７４】
本発明に係る発電装置は上記した各実施例の場合に限らず、第一永久磁石部材１又は第二永久磁石部材２と起電コイル部材３との相対回転により起電コイル部材３における発電を誘起する全ての場合を包含する。
【００７５】
換言すると、上記第一，第二永久磁石部材１，２の一方が回転し、他方と上記起電コイル部材３を固定して上記相対回転を行うか、又は上記第一，第二永久磁石部材１，２の一方を固定し、他方と上記起電コイル部材３を回転して上記相対回転を行い、上記起電コイル部材３における発電を誘起する場合を全て包含する。
【００７６】
又本発明に係る発電装置は第一永久磁石部材１及び第二永久磁石部材２と起電コイル部材３との相対回転により起電コイル部材３における発電を誘起する全ての場合を包含する。
【００７７】
換言すると、上記第一，第二永久磁石部材１，２を回転し、上記起電コイル部材３を固定して上記相対回転を行うか、又は上記第一，第二永久磁石部材１，２を固定し、上記起電コイル部材３を回転して上記相対回転を行い、上記起電コイル部材３における発電を誘起する場合を全て包含する。
【符号の説明】
【００７８】
１…第一永久磁石部材、２…第二永久磁石部材、３…起電コイル部材、４…回転軸、４´…固定軸、５…第一筒形ヨーク、６…第二筒形ヨーク、７…コア、８…巻線、９…動力源、１０…動力源、Ｍ１…第一永久磁石部材の永久磁石、Ｍ２…第二永久磁石部材の永久磁石、Ｃ…起電コイル、Ｆ１，Ｆ２，Ｆ３，Ｆ４…磁力方向。
【図１】
0005722690.tif 000002
【図２】
0005722690.tif 000003
【図３】
0005722690.tif 000004
【図４】
0005722690.tif 000005
【図５】
0005722690.tif 000006
【図６】
0005722690.tif 000007
【図７】
0005722690.tif 000008
【図８】
0005722690.tif 000009
【図９】
0005722690.tif 000010